(57)【要約】【課題】ＰｏＣサービスにおいて、不特定多数のユーザが情報を共有化し、ユーザのプレゼンス更新操作を簡略化した、情報交換システム、情報交換方法、及び、情報交換プログラムとその記録媒体を提供する。【解決手段】複数のユーザの携帯電話５〜７と、各ユーザの位置情報を有するプレゼンス処理部３及び複数のグループを形成、管理するグループ管理部２とを備えたＰｏＣサーバ１と、ネットワーク４とを設けた情報交換システムにおいて、ユーザの携帯電話５〜７のいずれかからＰｏＣサーバ１に所定の情報の取得要求がされた場合、ＰｏＣサーバ１は、各ユーザの位置情報及び上記複数のグループの情報を基に、上記所定の情報が提供可能なグループに属する他のユーザを特定し、他のユーザの情報をユーザの携帯電話に送信してＰｏＣによるユーザ同士の会話を可能とするようにする。【選択図】図１
2007150985.tif 000002
【特許請求の範囲】
【請求項１】
ネットワークを介して自らの位置情報を取得する機能を有する、複数のユーザの携帯電話と、
前記複数のユーザの携帯電話からそれぞれネットワークを介して取得した、各ユーザの位置情報（プレゼンス情報）を有するプレゼンス処理部、及び、前記各ユーザの位置情報、並びに、各ユーザが登録しているグループ情報を基に、複数のグループを形成、管理するグループ管理部とを備え、前記ユーザの携帯電話同士を仲介し、ＰｏＣサービスを用いた通信をするためのＰｏＣサーバと、
前記携帯電話と前記ＰｏＣサーバとを無線通信で接続するためのネットワークと、からなる情報交換システムであって、
前記ＰｏＣサーバに対して、前記ユーザの携帯電話から所定の情報に関する情報取得要求がなされた場合に、前記ＰｏＣサーバは、前記プレゼンス処理部が有する各ユーザの位置情報（プレゼンス情報）、及び、前記グループ管理部が有する前記複数のグループに関する情報を参照して、前記所定の情報について提供可能なグループに属する他のユーザを特定し、該特定した他のユーザの情報を、前記ユーザの携帯電話に送信し、ＰｏＣサービスによるユーザ同士の会話を可能とすることを特徴とする情報交換システム。
【請求項２】
前記複数のユーザの各携帯電話は、ネットワークを介して自らの位置情報を予め設定された任意の時間に取得して前記ＰｏＣサーバへ送信し、受信した前記位置情報を基に、前記プレゼンス処理部が、前記複数のユーザの各位置情報（プレゼンス情報）を更新することを特徴とする請求項１記載の情報交換システム。
【請求項３】
前記予め設定された任意の時間は、前記複数のユーザの各携帯電話における、アラーム時間情報、及び／又は、スケジュール情報を基に設定された時間であることを特徴とする請求項２記載の情報交換システム。
【請求項４】
前記所定の情報は、前記ユーザの携帯電話の選択画面に表示された複数のグループの中から選択されることを特徴とする請求項１から３のいずれか１項に記載の情報交換システム。
【請求項５】
前記所定の情報は、前記ユーザの携帯電話の入力画面から予め入力された情報であることを特徴とする請求項１から３のいずれか１項に記載の情報交換システム。
【請求項６】
ネットワークを介して自らの位置情報を取得する機能を有する、複数のユーザの携帯電話と、
前記複数のユーザの携帯電話からそれぞれネットワークを介して取得した、各ユーザの位置情報（プレゼンス情報）を有するプレゼンス処理部、及び、前記各ユーザの位置情報、並びに、各ユーザが登録しているグループ情報を基に、複数のグループを形成、管理するグループ管理部とを備え、前記ユーザの携帯電話同士を仲介し、ＰｏＣサービスを用いた通信をするためのＰｏＣサーバと、
前記携帯電話と前記ＰｏＣサーバとを無線通信で接続するためのネットワークと、からなる情報交換システムの情報交換方法であって、
前記ＰｏＣサーバに対して、前記ユーザの携帯電話から所定の情報に関する情報取得要求がなされた場合に、前記ＰｏＣサーバは、前記プレゼンス処理部が有する各ユーザの位置情報（プレゼンス情報）、及び、前記グループ管理部が有する前記複数のグループに関する情報を参照して、前記所定の情報について提供可能なグループに属する他のユーザを特定する工程と、前記工程により特定した他のユーザに関する情報を、前記ユーザの携帯電話に送信して、ＰｏＣサービスによるユーザ同士の会話を可能とする工程と、を有することを特徴とする情報交換方法。
【請求項７】
前記複数のユーザの各携帯電話が、ネットワークを介して自らの位置情報を予め設定された任意の時間に取得して前記ＰｏＣサーバへ送信する工程と、前記工程により受信した前記位置情報を基に、前記ＰｏＣサーバの前記プレゼンス処理部が、前記複数のユーザの各位置情報（プレゼンス情報）を更新する工程と、を有することを特徴とする請求項６記載の情報交換方法。
【請求項８】
前記予め設定された任意の時間は、前記複数のユーザの各携帯電話における、アラーム時間情報、及び／又は、スケジュール情報を基に設定された時間であることを特徴とする請求項７記載の情報交換方法。
【請求項９】
前記所定の情報は、前記ユーザの携帯電話の選択画面に表示された複数のグループの中から選択されることを特徴とする請求項６から８のいずれか１項に記載の情報交換方法。
【請求項１０】
前記所定の情報は、前記ユーザの携帯電話の入力画面から予め入力された情報であることを特徴とする請求項６から８のいずれか１項に記載の情報交換方法。
【請求項１１】
請求項６から１０のいずれか１項に記載の情報交換方法を、コンピュータに実行させるための情報交換プログラム。
【請求項１２】
請求項１１記載の情報交換プログラムを記録した記録媒体。
【発明の詳細な説明】
【技術分野】
【０００１】
本発明は、ＰｏＣ（Ｐｕｓｈ  ｔｏ  ｔａｌｋ  Ｏｖｅｒ  Ｃｅｌｌｕａｒ）を用いた、情報交換システム、情報交換方法、及び、情報交換プログラムとその記録媒体に関する。
【背景技術】
【０００２】
携帯電話の位置情報を基に、各基地局から各携帯電話へ配信されるＶｏｄａＦｏｎｅのステーションやＮＴＴ  ＤｏＣｏＭｏのｉエリア等の情報提供サービスがある。ユーザは、これらの情報提供サービスにより、位置情報や、ニュース、天気予報、地域情報などを取得することができる。また、ウェブサイトでも、波の情報や渋滞情報など各地域毎に各ジャンルの情報を取得することができる。
【０００３】
一方、ＰｏＣ（Ｐｕｓｈ  ｔｏ  ｔａｌｋ  Ｏｖｅｒ  Ｃｅｌｌｕａｒ）機能を備えた携帯電話が市場に登場している。このＰｏＣとは、携帯電話などの携帯情報端末に設けられた特定のボタンを押下することで、通信相手側とのワイヤレス通信を可能とする通信方法であり、半二重伝送方式に適用可能な通信方法である。
【０００４】
次に、ユーザの携帯電話の画面表示を示した図７を用いて、従来のＰｏＣシステムについて以下に説明する。図７は、従来のＰｏＣシステムにおける、ユーザの携帯電話の画面表示を示した図である。まず、ユーザは、画面表示５１において、ユーザが予め登録しておいた複数のグループを示したグループリストから、特定のグループを選択する。
【０００５】
例えば図７に示すように、ユーザが、画面表示５１に表示されている「Ｓａｌｅｓ」のグループを選択すると、ユーザの携帯電話は、ＰｏＣサーバに登録された「Ｓａｌｅｓ」のグループへアクセスし、携帯電話の画面表示が画面表示５２に遷移して、アクセス中（呼出中）である旨の表示がなされる。
【０００６】
次に、ユーザの携帯電話からアクセスを受けたＰｏＣサーバは、ＰｏＣサーバが保有する「Ｓａｌｅｓ」のグループに属するユーザのプレゼンス情報を、ユーザの携帯電話へ送信する。続いて、上記プレゼンス情報を受信したユーザの携帯電話は、該情報を基に、「Ｓａｌｅｓ」のグループに属するユーザのプレゼンス情報（ＰｏＣによる会話が可能なユーザ名、発言権の有無などの情報）を表示する（画面表示５３）。
【０００７】
画面表示５３では、「Ｓａｌｅｓ」のグループに属し、ＰｏＣによる会話が可能なユーザのユーザ名（「Ｃｈｒｉｓ」、「Ｄａｖｉｓ」、「Ｇｅｏｒｇｉａ」）が表示される。この画面表示５３により、ユーザが会話可能な他のユーザの存在を確認し、ＰｏＣによる会話を開始することが可能となる。
【０００８】
なお、画面表示５４では、画面表示５３において表示されていた「Ｇｅｏｒｇｉａ」の表示が削除されているが、これは、ＰｏＣサーバから送信されてきた、新たに更新されたプレゼンス情報を基に、ユーザの携帯電話の画面表示が更新されたことを意味する。画面表示５４において「Ｇｅｏｒｇｉａ」の表示がされていないのは、ＧｅｒｏｇｉａがＰｏＣによる会話から抜けた状態を示すものである。
【０００９】
次に、図８を用いて、従来のＰｏＣシステムについて以下に説明する。図８は、従来のＰｏＣシステムを説明するためのフローチャートである。図８に示すように、まず、ステップ２０１において、ユーザが、予め携帯電話を用いて、ＰｏＣサーバに対して、利用したいグループの登録をしておく（ステップ２０１）。
【００１０】
次に、ユーザは、ＰｏＣサービスを利用したいとき、ステップ２０１において予めＰｏＣサーバに登録していたグループの中から、利用したいグループを選択する（ステップ２０２Ｙｅｓ→ステップ２０３）。
【００１１】
続いて、ユーザは、携帯電話から自分の位置や通話可否の状態等、自分のプレゼンス情報を、ＰｏＣサーバに対して送信して更新する（ステップ２０４）。ＰｏＣサーバは、ステップ２０３で選択されたグループに登録されている他のユーザのプレゼンス情報をユーザの携帯電話へ送信する（ステップ２０５）。
【００１２】
ユーザの携帯電話は、ステップ２０５において、ＰｏＣサーバからネットワークを介して送信された他のユーザのプレゼンス情報を受信する（ステップ２０６）。これにより、ユーザは、他のユーザのプレゼンス情報を確認することにより、会話が可能な他のユーザを把握することができ、会話を開始することが可能となる（ステップ２０７）。
【００１３】
また、特許文献１には、ホームページのデータが更新される間のタイムラグをなくし、ホームページを作成するユーザとホームページを閲覧するユーザとがリアルタイムに情報を共有することを可能とした、情報共有支援システム、情報共有支援方法、ホームページ管理プログラム、ホームページ作成プログラム及びホームページ閲覧プログラムに関する技術が開示されている。
【特許文献１】特開２００５−２５１０６６号公報
【発明の開示】
【発明が解決しようとする課題】
【００１４】
しかし、上述したような、ＶｏｄａＦｏｎｅのステーションやＮＴＴ  ＤｏＣｏＭｏのｉエリア等の情報提供サービスや、ウェブサイトによる地域情報などの情報提供サービスに関しては、ユーザは基本的には受身である。よって、ユーザが他のユーザへ情報提供をすることは困難であった。また、ユーザは、上記情報提供サービスにより提供される情報よりも更に詳細な地域特有の情報などを取得することは困難であった。
【００１５】
一方、従来のＰｏＣサービスでは、不特定多数のユーザ同士で情報共有を行うことができず、業務用の情報交換または限定されたユーザ間での情報交換にしか利用されておらず、普及が困難であった。また、従来のＰｏＣサービスでは、ユーザの移動または就寝毎に、各ユーザが煩雑な操作によりプレゼンス情報を更新する必要があったため、ＰｏＣサービスは限定されたグループ間においてのみ活用されるに留まっていた。
【００１６】
本発明は、上記のような問題点に鑑み、ＰｏＣサービスにおいて、特定地域における互いに面識のない不特定多数のユーザ同士がその地域特有の情報を共有化することを可能とし、ユーザによるプレゼンスの更新操作の簡略化を可能とした、情報交換システム、情報交換方法、及び、情報交換プログラムとその記録媒体を提供することを目的とする。
【課題を解決するための手段】
【００１７】
請求項１記載の発明は、ネットワークを介して自らの位置情報を取得する機能を有する、複数のユーザの携帯電話と、前記複数のユーザの携帯電話からそれぞれネットワークを介して取得した、各ユーザの位置情報（プレゼンス情報）を有するプレゼンス処理部、及び、前記各ユーザの位置情報、並びに、各ユーザが登録しているグループ情報を基に、複数のグループを形成、管理するグループ管理部とを備え、前記ユーザの携帯電話同士を仲介し、ＰｏＣサービスを用いた通信をするためのＰｏＣサーバと、前記携帯電話と前記ＰｏＣサーバとを無線通信で接続するためのネットワークとからなる情報交換システムであって、前記ＰｏＣサーバに対して、前記ユーザの携帯電話から所定の情報に関する情報取得要求がなされた場合に、前記ＰｏＣサーバは、前記プレゼンス処理部が有する各ユーザの位置情報（プレゼンス情報）、及び、前記グループ管理部が有する前記複数のグループに関する情報を参照して、前記所定の情報について提供可能なグループに属する他のユーザを特定し、該特定した他のユーザの情報を、前記ユーザの携帯電話に送信し、ＰｏＣサービスによるユーザ同士の会話を可能とする情報交換システムとしたことを特徴とする。
【００１８】
請求項２記載の発明は、前記複数のユーザの各携帯電話は、ネットワークを介して自らの位置情報を予め設定された任意の時間に取得して前記ＰｏＣサーバへ送信し、受信した前記位置情報を基に、前記プレゼンス処理部が、前記複数のユーザの各位置情報（プレゼンス情報）を更新する請求項１記載の情報交換システムとしたことを特徴とする。
【００１９】
請求項３記載の発明は、前記予め設定された任意の時間は、前記複数のユーザの各携帯電話における、アラーム時間情報、及び／又は、スケジュール情報を基に設定された時間である請求項２記載の情報交換システムとしたことを特徴とする。
【００２０】
請求項４記載の発明は、前記所定の情報は、前記ユーザの携帯電話の選択画面に表示された複数のグループの中から選択される請求項１から３のいずれか１項に記載の情報交換システムとしたことを特徴とする。
【００２１】
請求項５記載の発明は、前記所定の情報は、前記ユーザの携帯電話の入力画面から予め入力された情報である請求項１から３のいずれか１項に記載の情報交換システムとしたことを特徴とする。
【００２２】
請求項６記載の発明は、ネットワークを介して自らの位置情報を取得する機能を有する、複数のユーザの携帯電話と、前記複数のユーザの携帯電話からそれぞれネットワークを介して取得した、各ユーザの位置情報（プレゼンス情報）を有するプレゼンス処理部、及び、前記各ユーザの位置情報、並びに、各ユーザが登録しているグループ情報を基に、複数のグループを形成、管理するグループ管理部とを備え、前記ユーザの携帯電話同士を仲介し、ＰｏＣサービスを用いた通信をするためのＰｏＣサーバと、前記携帯電話と前記ＰｏＣサーバとを無線通信で接続するためのネットワークとからなる情報交換システムの情報交換方法であって、前記ＰｏＣサーバに対して、前記ユーザの携帯電話から所定の情報に関する情報取得要求がなされた場合に、前記ＰｏＣサーバは、前記プレゼンス処理部が有する各ユーザの位置情報（プレゼンス情報）、及び、前記グループ管理部が有する前記複数のグループに関する情報を参照して、前記所定の情報について提供可能なグループに属する他のユーザを特定する工程と、前記工程により特定した他のユーザに関する情報を、前記ユーザの携帯電話に送信して、ＰｏＣサービスによるユーザ同士の会話を可能とする工程とを有する情報交換方法としたことを特徴とする。
【００２３】
請求項７記載の発明は、前記複数のユーザの各携帯電話が、ネットワークを介して自らの位置情報を予め設定された任意の時間に取得して前記ＰｏＣサーバへ送信する工程と、前記工程により受信した前記位置情報を基に、前記ＰｏＣサーバの前記プレゼンス処理部が、前記複数のユーザの各位置情報（プレゼンス情報）を更新する工程とを有する請求項６記載の情報交換方法としたことを特徴とする。
【００２４】
請求項８記載の発明は、前記予め設定された任意の時間は、前記複数のユーザの各携帯電話における、アラーム時間情報、及び／又は、スケジュール情報を基に設定された時間である請求項７記載の情報交換方法としたことを特徴とする。
【００２５】
請求項９記載の発明は、前記所定の情報は、前記ユーザの携帯電話の選択画面に表示された複数のグループの中から選択される請求項６から８のいずれか１項に記載の情報交換方法としたことを特徴とする。
【００２６】
請求項１０記載の発明は、前記所定の情報は、前記ユーザの携帯電話の入力画面から予め入力された情報である請求項６から８のいずれか１項に記載の情報交換方法としたことを特徴とする。
【００２７】
請求項１１記載の発明は、請求項６から１０のいずれか１項に記載の情報交換方法を、コンピュータに実行させるための情報交換プログラムとしたことを特徴とする。
【００２８】
請求項１２記載の発明は、請求項１１記載の情報交換プログラムを記録した記録媒体としたことを特徴とする。
【発明の効果】
【００２９】
本発明によれば、ＰｏＣサービスにおいて、特定地域における互いに面識のない不特定多数のユーザ同士がその地域特有の情報を共有化することを可能とし、ユーザによるプレゼンスの更新操作の簡略化を可能とした、情報交換システム、情報交換方法、及び、情報交換プログラムとその記録媒体を実現することができる。
【発明を実施するための最良の形態】
【００３０】
本発明を実施するための最良の形態は、ネットワークを介して自らの位置情報を取得する機能を有する、複数のユーザの携帯電話と、この複数のユーザの携帯電話からそれぞれネットワークを介して取得した、各ユーザの位置情報（プレゼンス情報）を有するプレゼンス処理部、及び、各ユーザの位置情報、並びに、各ユーザが登録しているグループ情報を基に、複数のグループを形成、管理するグループ管理部とを備え、ユーザの携帯電話同士を仲介し、ＰｏＣサービスを用いた通信をするためのＰｏＣサーバと、上記携帯電話と上記ＰｏＣサーバとを無線通信で接続するためのネットワークとを設けた情報交換システムにおいて、上記ＰｏＣサーバに対して、上記ユーザの携帯電話から所定の情報に関する情報取得要求がなされた場合に、上記ＰｏＣサーバは、上記プレゼンス処理部が有する各ユーザの位置情報（プレゼンス情報）、及び、上記グループ管理部が有する上記複数のグループに関する情報を参照して、上記所定の情報について提供可能なグループに属する他のユーザを特定し、この特定した他のユーザの情報を、前記ユーザの携帯電話に送信し、ＰｏＣサービスによるユーザ同士の会話を可能とするようにシステムを構成する。
【００３１】
以下に、本発明の好適な実施形態を添付図面に基づいて詳細に説明する。尚、以下に述べる実施形態は本発明の好適な具体例であるから、技術的に好ましい種々の限定が付されているが、本発明の範囲は、以下の説明において特に本発明を限定する旨の記載がない限り、これらの実施形態に限られるものではない。
【００３２】
（実施形態１）
本実施形態の情報交換システムの構成について図１を用いて以下に説明する。図１は、本実施形態の情報交換システムの構成ブロック図である。図１に示すように、本実施形態の情報交換システムは、各情報の登録や削除を管理するＰｏＣサーバ１、オペレータの提供しているネットワーク網であるネットワーク４、及び、ユーザが利用する（複数の）携帯電話（本実施形態では、携帯電話５、携帯電話６、携帯電話７）を備えている。
【００３３】
また、ＰｏＣサーバ１は、メンバの登録や解除を管理するグループ管理部２、及び、相手の場所や着信する／しないの意思を示すプレゼンス処理部３を備えている。また、図１に示すパケットネットワークエリア８は、パケットサービス利用可能な範囲を示したものである。
【００３４】
次に、図２を用いて、本実施形態の情報交換システムにおける、ＰｏＣサービスを利用したユーザ同士の情報交換について以下に説明する。図２は、本実施形態の情報交換システムによるＰｏＣサービスを利用したユーザ同士の情報交換における、ユーザの携帯電話（携帯電話５、携帯電話６、携帯電話７のいずれか：図１参照。）の画面表示を示した図である。
【００３５】
図２に示すように、まず、ユーザが利用する携帯電話の画面表示１１において、グループリストが表示されるので、このグループリストの中から、ユーザが利用したい項目を選択する。ここで、ユーザが利用したいのがＰｏＣの会話による情報交換であるとすると、ユーザのキー操作により「会話ＰｏＣ  Ｓｅｒｖｅｒ」が選択される。
【００３６】
続いて、画面表示１２では、ユーザが会話を希望する情報の内容を選択するための画面表示がされるので、ユーザが利用したい項目を選択する。ここで、ユーザのキー操作により「３．波情報」が選択されると、画面表示１３に遷移する。この画面表示１３では、ＰｏＣサーバ１のグループ管理部２が管理している波情報のグループに対してアクセス中であることを示す画面表示がなされる。
【００３７】
続いて、ＰｏＣサーバ１は、ユーザの携帯電話から波情報に関するＰｏＣの会話による情報交換の要求を受けると共に、ユーザの携帯電話の位置情報を、該端末から入手し、ユーザの存在位置付近の波情報のグループを抽出し、抽出された波情報のグループの情報をユーザの携帯電話へ送信する。
【００３８】
一方、ユーザの携帯電話は、受信した波情報のグループの情報を基に、画面表示１４に示すように、波情報のグループ（波情報のグループ名）を画面表示する。そして、ユーザは、この画面表示１４に表示された波情報のグループの中から、キー操作により希望のグループを選択する。
【００３９】
ここで、画面表示１４において、波情報のグループ「片貝」が、ユーザのキー操作により選択されると、ＰｏＣサーバ１のグループ管理部２では、「片貝」グループに属しＰｏＣによる会話が可能なメンバに関する情報を、ユーザの携帯電話へ送信する。
【００４０】
そして、ユーザの携帯電話では、受信した情報を基に、「片貝」グループに属する、ＰｏＣによる会話が可能なメンバについて画面表示をする（画面表示１５）。この画面表示１５により、ユーザは、会話可能な他のユーザの存在を確認し、ＰｏＣによる会話を開始することが可能となる。
【００４１】
次に、本実施形態の情報交換システムにおける、ＰｏＣサーバ１に設けられた掲示板からの情報入手について、図３を用いて以下に説明する。図３は、本実施形態の情報交換システムにおいて、ユーザがＰｏＣサーバ１に設けられた掲示板から情報を入手する際の、ユーザの携帯電話の画面表示を示した図である。
【００４２】
図３に示すように、まず、ユーザの携帯電話の画面表示２１において、ＰｏＣサービスのグループリストが表示されており、この中で、「情報ＰｏＣ  Ｓｅｒｖｅｒ」がユーザのキー操作により選択されると、画面表示２２に遷移し、ユーザが入手可能な情報の内容を示した選択項目が表示される。
【００４３】
ここで、ユーザのキー操作により「３．波情報」が選択されたとすると、画面表示２３に遷移し、ＰｏＣサーバ１に設けられた掲示板にアクセス中であることを示す表示がなされる（画面表示２３）。その際、ＰｏＣサーバ１は、ユーザの携帯電話から該携帯電話の位置情報を入手し、その位置付近の地域を割り出し、割り出した地域に関する情報をユーザの携帯電話に送信する。
【００４４】
割り出した地域に関する情報を受信したユーザの携帯電話は、該情報を基に、まず画面表示２４に示すように、地域名について画面表示をする。続いて、画面表示２４に対して、ユーザのキー操作により地域名「片貝」が選択されると、ユーザの携帯電話は、受信した上記地域に関する情報を基に、画面表示２５に示すように「片貝」の波情報を表示する。これにより、ユーザは、「片貝」の波情報を入手することができる。
【００４５】
なお、例えば、ここで仮にユーザが「片貝」の地域に移動したとして、ユーザが「片貝」の波情報を自ら更新したい場合には、画面表示２５に表示されている「Ｕｐ  ｌｏａｄ」の項目をキー操作により押下する。すると、画面表示２６に遷移し、波情報入力画面が表示される。続いて、ユーザは、この画面表示２６上で携帯電話のキー操作により更新したい情報を入力後、画面表示２６に示された「Ｕｐ」の項目をキー操作により押下する。
【００４６】
すると、ユーザの携帯電話は、ＰｏＣサーバ１へ入力情報を送信し、これを受信したＰｏＣサーバ１は、受信した情報を基に、自己の有する掲示板において「片貝」の波情報を更新する。そして、ＰｏＣサーバ１の有する掲示板において「片貝」の波情報が更新されると、その旨をＰｏＣサーバ１が、ユーザの携帯電話に送信し、ユーザの携帯電話は、情報が更新された旨の画面表示をする（画面表示２７）。
【００４７】
次に、本実施形態の情報交換システムの動作について図４を用いて以下に説明する。図４は、本実施形態の情報交換システムの動作について説明するためのフローチャートである。図４に示すように、まず、ステップ１０１において、ユーザは、携帯電話からのキー操作により、予めＰｏＣサーバ１に対して、利用したい情報のグループに自己の携帯電話（携帯電話５、携帯電話６、携帯電話７のいずれか：図１参照。）を登録する。
【００４８】
言い換えると、この登録は、ユーザが携帯電話のキー操作により、利用したい情報のジャンル（グループ）を指定すればよい（ステップ１０１）。なお、同様に、他のユーザも利用したい情報のジャンル（グループ）を選択して登録することにより、ＰｏＣサーバ１は、これらの登録情報を基に、各情報のグループを形成、管理する。
【００４９】
次に、ステップ１０２では、本実施形態におけるユーザの携帯電話は、ネットワークを介して自己の位置情報を取得する。このため、従来のように、ユーザが、携帯電話のキー操作によって、自己の位置情報をＰｏＣサーバ１のプレゼンス処理部３へ登録するという煩雑な操作は必要ない。
【００５０】
続いて、ステップ１０３では、ユーザは、携帯電話の画面表示上でＰｏＣサービスを利用するか否かを選択する。ユーザがＰｏＣサービスを利用する場合には、ステップ１０４に進み、ユーザの携帯電話は、オペレータのネットワークを経由してＰｏＣサーバ１と接続される（ステップ１０３Ｙｅｓ→ステップ１０４）。
【００５１】
次に、ステップ１０５において、ユーザが希望する情報を取得したい場合には、ステップ１０６に進み、ユーザの携帯電話は、ＰｏＣサーバ１に対して自己の位置情報を送信する。続いて、ステップ１０７において、ＰｏＣサーバ１は、ユーザの携帯電話より受信した位置情報を基に、ユーザのプレゼンスを確立、管理し、それを基にグループを形成する。
【００５２】
続いて、ユーザは、取得したい情報のジャンル（グループ）を携帯電話の画面表示に従って選択すると（ステップ１０８）、ユーザの携帯電話は、選択されたユーザが取得を希望する情報についての取得要求をＰｏＣサーバ１に対して送信する（ステップ１０９）。
【００５３】
次に、ＰｏＣサーバ１は、ステップ１０９において送信されたユーザの情報取得要求を受信し、該要求に応じて対応する情報を（ＰｏＣサーバ１が保有する情報（例えば、ＰｏＣサーバ１に設けられた掲示板等が有する情報）の中から）選択する（ステップ１１０）。続いて、ＰｏＣサーバ１は、上記選択した情報を携帯電話へ送信し、ユーザの携帯電話では、その情報を受信して画面上に表示する（ステップ１１１）。
【００５４】
一方、ユーザがＰｏＣサーバ１へ情報を登録したい場合には（ステップ１１２Ｙｅｓ）、ユーザの携帯電話は、ネットワークから入手した自己の携帯電話の位置情報をＰｏＣサーバ１へ送信する（ステップ１１３）。ＰｏＣサーバ１は、ステップ１１３でユーザの携帯電話より取得した位置情報を基に、ユーザのプレゼンスを確立、管理し、それを基にグループを形成する（ステップ１１４）。
【００５５】
次に、ユーザは、登録したい情報の種類を携帯電話の画面表示上において選択する（ステップ１１５）。続いて、ユーザの携帯電話のキー操作により登録したい情報が入力されると、該情報がＰｏＣサーバ１へ送信される（ステップ１１６）。そして、ＰｏＣサーバ１は、ユーザの携帯電話から受信した情報を（ＰｏＣサーバ１内に）登録する（ステップ１１７）。以上説明したステップ１１２〜１１７における処理フローにより登録された情報は、他の携帯電話のユーザが、ＰｏＣサーバ１から取得することが可能となる（ステップ１１８）。
【００５６】
また、ユーザが、ＰｏＣのグループ管理部２にて登録されたグループにおいて、会話したいとき（ステップ１１９Ｙｅｓ）、ユーザの携帯電話は、ネットワークから受信した自己の携帯電話の位置情報をＰｏＣサーバ１へ送信する（ステップ１２０）。ＰｏＣサーバ１は、ステップ１２０でユーザの携帯電話より取得した位置情報を基に、ユーザのプレゼンスを確立、管理し、それを基にグループを形成する（ステップ１２１）。
【００５７】
ここでの位置情報は、ネットワークで管理された位置情報、あるいは、ＧＰＳ（Ｇｌｏｂａｌ  Ｐｏｓｉｔｉｏｎｉｎｇ  Ｓｙｓｔｅｍ）、ＲＦＩＤ（Ｒａｄｉｏ  Ｆｒｅｑｕｅｎｃｙ  Ｉｄｅｎｔｉｆｉｃａｔｉｏｎ）、他、からの取得とする。次に、ユーザは、会話に参加したい情報の種類を、携帯電話の画面表示上にてキー操作により選択すると、ユーザの携帯電話は、選択された会話種類を、ＰｏＣサーバ１へ送信する（ステップ１２２）。
【００５８】
ＰｏＣサーバ１は、（受信した）その会話種類に登録された各ユーザのプレゼンスを確認し、確認した各ユーザのプレゼンスをユーザの携帯電話に対して送信し（ステップ１２３）、これを受信したユーザの携帯電話が該情報を画面表示することにより、ユーザは、会話可能なユーザの存在を確認して、会話に参加することが可能となる（ステップ１２４→１２５）。一方、ステップ１２４において、ユーザが各ユーザのプレゼンスを確認した結果、該当者がいない場合には、ユーザの携帯電話は、ＰｏＣサーバ１との回線を切断する（ステップ１２４Ｎｏ→１２６）。
【００５９】
ところで、本実施形態の情報交換システムは、図５に示す、知りたい情報登録画面３１を採用することができる。図５は、本実施形態のユーザの携帯電話における、知りたい情報登録画面３１について示した図である。本実施形態の情報交換システムは、携帯電話の画面に表示された、知りたい情報登録画面３１に対して、ユーザがキー入力操作することにより、ユーザが知りたい情報が何かを予めＰｏＣサーバ１に対して登録する様なシステム構成としておくことができる。
【００６０】
これにより、オペレータのネットワーク経由でＰｏＣサーバ１から定期的にユーザの携帯電話に対して、ユーザの知りたい情報が送信されるようにすることができる。図５に示すように、この知りたい情報登録画面３１では情報の種類が表示されており、ユーザのキー操作により、各項目毎にあるチェックボックス３２がチェックされた後、送信ボタン３３が押下されることにより、ユーザの知りたい情報の種類に関する情報が、ＰｏＣサーバ１へ送信される。
【００６１】
また、本実施形態の情報交換システムは、図６に示す、ユーザ情報登録画面４１を採用することができる。図６は、本実施形態のユーザの携帯電話における、ユーザ情報登録画面４１について示した図である。本実施形態の情報交換システムは、携帯電話の画面に表示されたユーザ情報登録画面４１に対してユーザがキー入力操作することにより、ユーザの携帯電話の位置情報のみならず、ユーザの嗜好、立場、趣味、仕事、等のユーザ情報をＰｏＣサーバ１へ送信するようにシステム構成することができる。
【００６２】
なお、このユーザ情報は、ユーザの携帯電話がＰｏＣサーバ１へ自己の携帯電話の位置情報を送信する際に、併せて送信する様なシステム構成としておくことができる。これにより、ＰｏＣサーバ１におけるプレゼンスの管理、あるいはグループ管理の機能を多様化させることができる。
【００６３】
また、本実施形態において、ＰｏＣサーバ１がユーザのプレゼンスの状態を認識する際に、携帯電話のスケジュールや時間、及び／又は、アラーム設定との連動や、ＰｏＣサーバ１へ送信する携帯電話の位置情報と併せて、映画館のゲート、駅の改札、ビルの出入り口、電車やバスの出入り口、等にセンサを設置しておき、そのセンサによりＰｏＣサーバ１へ情報を送信するようにしてもよい。これにより、ＰｏＣサーバ１はより正確なユーザのプレゼンスを管理し、それを基にグループを形成することが可能となる。
【００６４】
また、本実施形態によれば、例えば、ユーザが自動車に乗車中は、ＰｏＣサーバ１にて、ある特定地域毎にグループを形成しておき、自動車に乗車中のユーザが、本ＰｏＣサービスによる情報交換システムを用いることで道路の事故や混雑状況等の情報を取得するようにすることができる。
【００６５】
また、ユーザが移動する毎に、ネットワーク、あるいはＧＰＲＳ、ＲＦＩＤにより、ユーザの携帯電話が自動的に位置情報をＰｏＣサーバ１へ送信し、ＰｏＣサーバ１が、ユーザのプレゼンスを更新するため、ユーザは、プレゼンスの更新作業に煩わされることなく、運転しながら本サービスを利用することができる。
【００６６】
また、本実施形態によれば、ＰｏＣサーバ１が、ユーザの携帯電話から取得した位置情報を基にプレゼスの更新、登録を管理する。これにより、ＰｏＣサーバ１に設けられた掲示板において、不特定多数のユーザがリアルタイムにローカルな情報を更新または取得することが可能となる。また、ＰｏＣの会話において、ユーザが、不特定多数の他のユーザに対して、リアルタイムに情報を提供または取得することができる。更には、ユーザは、移動する毎にＰｏＣサーバ１へのプレゼンス更新をするという、煩雑な操作から解放される。
【００６７】
また、本実施形態によれば、プレゼンス更新に関し、ユーザが携帯情報端末に設定したアラームやスケジュール管理機能の情報を、該端末が定期的にプレゼンスサーバへ送信する。これにより、ＰｏＣサーバは、より正確なユーザのプレゼンスを管理することが可能となる。
【００６８】
また、本実施形態は、ＰｏＣサーバにおける、ユーザのプレゼンスの管理のため、映画館のゲートや駅の改札、ビルの出入り口や電車やバスの出入り口等にセンサを設置し、そのセンサがユーザの携帯情報端末を検知し、プレゼンス情報をＰｏＣサーバへ送信するようにしてもよい。これにより、ＰｏＣサーバは、より正確なユーザのプレゼンスを管理することが可能となる。
【００６９】
また、本実施形態によれば、ユーザが予め利用したい情報のジャンルを、ＰｏＣサーバへ登録するようにすることができる。これにより、不特定多数のユーザがリアルタイムで更新した情報を、リアルタイム、あるいは定期的に、オペレータのネットワークを経由して取得することができる。
【００７０】
また、本実施形態によれば、従来の予め登録されたグループ内、あるいは業務用や限られた地域でのみ、利用されていたＰｏＣのシステムが、より一般的なユーザを対象にすることが可能になり、ＰｏＣ対応の携帯電話の普及を促すことが可能となる。
【図面の簡単な説明】
【００７１】
【図１】本実施形態の情報交換システムの構成ブロック図である。
【図２】本実施形態の情報交換システムによるＰｏＣサービスを利用したユーザ同士の情報交換における、ユーザの携帯電話の画面表示を示した図である。
【図３】本実施形態の情報交換システムにおいて、ユーザがＰｏＣサーバに設けられた掲示板から情報を入手する際の、ユーザの携帯電話の画面表示を示した図である。
【図４】本実施形態の情報交換システムの動作について説明するためのフローチャートである。
【図５】本実施形態のユーザの携帯電話における、知りたい情報登録画面について示した図である。
【図６】本実施形態のユーザの携帯電話における、ユーザ情報登録画面について示した図である。
【図７】従来のＰｏＣシステムにおける、ユーザの携帯電話の画面表示を示した図である。
【図８】従来のＰｏＣシステムを説明するためのフローチャートである。
【符号の説明】
【００７２】
１    ＰｏＣサーバ
２    グループ管理部
３    プレゼンス処理部
４    ネットワーク
５    携帯電話Ａ
６    携帯電話Ｂ
７    携帯電話Ｃ
８    パケットネットワークエリア
１１〜１５    画面表示
２１〜２７    画面表示
３１、４１    画面表示
３２    チェックボックス
３３    送信ボタン
５１〜５４    画面表示
【図１】
2007150985.tif 000003
【図２】
2007150985.tif 000004
【図３】
2007150985.tif 000005
【図４】
2007150985.tif 000006
【図５】
2007150985.tif 000007
【図６】
2007150985.tif 000008
【図７】
2007150985.tif 000009
【図８】
2007150985.tif 000010